(57)【要約】【課題】暗所での使用にも適した、ポータブル性と視認性に優れる香料噴霧装置を提供する。【解決手段】装置本体の中央部に設けられ、ユーザーが前記装置本体を持ち運ぶ際のグリップ部を形成する貫通孔と、前記装置本体内部に配置された光源から発光された光を導光する導光部材とを備え、前記導光部材は、前記貫通孔の内面を形成する前記装置本体の面上に設けられたことを特徴とする。また、前記導光部材は、前記貫通孔の内面に露出している第１の部分と、前記装置本体内部に配置され、前記光源付近から前記第１の部分へと繋がる第２の部分を有することが好ましい。【選択図】図８
2020141967.tif 000002
【特許請求の範囲】
【請求項１】
装置本体の中央部に設けられ、ユーザーが前記装置本体を持ち運ぶ際のグリップ部を形成する貫通孔と、
前記装置本体内部に配置された光源から発光された光を導光する導光部材と
を備え、
前記導光部材は、前記貫通孔の内面を形成する前記装置本体の面上に設けられたことを特徴とする香料噴霧装置。
【請求項２】
前記導光部材は、前記貫通孔の内面から露出している第１の部分と、
前記装置本体内部に配置され、前記光源付近から前記第１の部分へと繋がる第２の部分とを有することを特徴とする請求項１に記載の香料噴霧装置。
【請求項３】
前記導光部材は、前記貫通孔の内面における周方向に沿って一体成型された透明部材であることを特徴とする請求項１または２に記載の香料噴霧装置。
【請求項４】
前記貫通孔は、前記装置本体の載置面と平行に延在し、ユーザーが前記装置本体を持ち運ぶ際に手を挿入可能であることを特徴とする請求項１から３のいずれか一項に記載の香料噴霧装置。
【請求項５】
前記光源は、前記導光部材に対して、左右対称の位置関係となる２つの場所に配置されていることを特徴とする請求項１から４のいずれか一項に記載の香料噴霧装置。
【請求項６】
前記導光部材は、前記貫通孔における前記装置本体の底面側の底面部分が前記光源によって最も強く照射されることを特徴とする請求項１から５のいずれか一項に記載の香料噴霧装置。
【請求項７】
２つの前記光源から発光された光が、
前記導光部材の前記底面部分を交差するように導光されることを特徴とする請求項６に記載の香料噴霧装置。
【請求項８】
前記導光部材は、前記貫通孔の内面から露出する部分の断面形状が円形または楕円形であることを特徴とする請求項１から７のいずれか一項に記載の香料噴霧装置。
【発明の詳細な説明】
【技術分野】
【０００１】
本発明は、容器内の液体中に含まれる香料成分を空間に揮散させる香料噴霧装置に関する。
【背景技術】
【０００２】
従来から、超音波振動などを利用して液体を霧化し、その液体中に含まれる香料成分を外部空間に揮散させるものや、送風ファンによって香料成分を外部空間に放出させるアロマディフューザーなどの香料噴霧装置が知られている。また、快適な入眠や起床を促す目的でこれらを利用する事が知られている。
【先行技術文献】
【特許文献】
【０００３】
【特許文献１】特開２０１５−９７６９５号公報
【発明の概要】
【発明が解決しようとする課題】
【０００４】
しかしながら、従来の香料噴霧装置は、睡眠補助など、寝室などの暗所での使用を想定したものであっても、暗所での視認性や持ち運び易さなど、暗所での使用に適した構造とはなっていなかった。
【課題を解決するための手段】
【０００５】
以上を鑑み、本発明にかかる香料噴霧装置は、
装置本体の中央部に設けられ、ユーザーが前記装置本体を持ち運ぶ際のグリップ部を形成する貫通孔と、
前記装置本体内部に配置された光源から発光された光を導光する導光部材と
を備え、
前記導光部材は、前記貫通孔の内面を形成する前記装置本体の面上に設けられたことを特徴とする。
【発明の効果】
【０００６】
本発明の香料噴霧装置によれば、就寝時の寝室などの暗所での使用においても、装置の貫通空間の面を照らすことで、装置全体の形状を把握し易く、また、貫通空間に手を入れて持ち上げる際に貫通空間を視認した上で把持する事が出来る為、安全に、安定的に持ち運ぶ事ができる。
【図面の簡単な説明】
【０００７】
【図１】本発明の一実施形態に係るアロマディフューザーの外観斜視図。
【図２】本発明の一実施形態に係るアロマディフューザーの上面図及び断面図。
【図３】本発明の一実施形態に係るアロマディフューザーの芳香動作を説明する概念図。
【図４】本発明の一実施形態に係るアロマディフューザーの他の斜視図。
【図５】本発明の一実施形態に係るアロマディフューザーの他の上面図。
【図６】本発明の一実施形態に係るアロマディフューザーの正面図及び断面図。
【図７】本発明の一実施形態に係るアロマディフューザーのブロック図。
【図８】本発明の一実施形態に係るアロマディフューザーの導光部材の説明図。
【図９】本発明の一実施形態に係るアロマディフューザーの導光部材内の光の軌跡の説明図。
【図１０】本発明の他の実施形態に係るアロマディフューザーの外観斜視図。
【図１１】本発明の他の実施形態に係るアロマディフューザーの説明図。
【発明を実施するための形態】
【０００８】
（第１実施形態）
以下、本発明の香料噴霧装置について実施形態に基づき詳細を具体的に説明する。
【０００９】
図１は、本発明の第１実施形態に係る香料噴霧装置の一例としてのアロマディフューザー１の斜視図である。筐体１０の上部には、ヒンジ１５を中心に開閉する事が出来るトップカバー１１が設けられている。トップカバー１１には香料成分を空間に放出するための吹出口１２が設けられており、吹出口１２は、第１吹出口１２ａと第２吹出口１２ｂとが筐体１０の中央を貫通した空間である貫通孔１００を挟んで左右に設けられている。尚、以下の説明においては第１吹出口１２ａと第２吹出口１２ｂとをまとめて吹出口１２と呼ぶことがある。
【００１０】
ユーザーは、筐体１０（装置本体）の中央部で筐体１０の載置面と平行に貫通した空間に手を入れることで空間上部を持ち手にして筐体１０を持ち上げることが出来る。このように、貫通孔１００によってグリップ部を形成することで製品を落下させることなく片手で安定して持ち運ぶことが可能になり、適所に配置してアロマ効果を効率的に得ることが出来る。なお、貫通した空間は、図１においては、長方形型であるが、正方形や多角形、円形など、様々な形状にしても良い。また上部が持ち手として機能する形状であれば必ずしも貫通した空間でなくて良い。さらに、貫通した空間である貫通孔１００の大きさもユーザーの手全体が挿入可能になっていなくても良く、例えばユーザーが指を挿入可能な程度の大きさの貫通孔であっても良い。その場合、貫通孔を１つに限られず、複数設けられることが好ましい。
【００１１】
筐体１０の貫通した空間と接する側には導光部材１９が設けられている。ユーザーは導光部材１９の発光パターンから製品の動作情報を知ることが出来る。本実施形態においては、貫通した空間を形成する貫通孔１００の内面の全周に亘って導光部材１９を設けており、ユーザーは、どの方向からでも貫通孔１００の内部を視認することができるため、貫通孔１００の内部を照らすことで、筐体１０をどの高さに設置した場合であってもユーザーからの視認性を向上することができる。導光部材１９の詳細な構成については後述する。
【００１２】
図２は本発明のアロマディフューザー１の内部構造を示した断面図である。図２（ａ）に示す上面図におけるＡ−Ａ断面を図２（ｂ）の断面図に示している。第１吹出口１２ａと連通する第１ボトル２０ａを収容する収容部がその下部に設けられており、同様に第２吹出口１２ｂと連通する第２ボトル２０ｂを収容する収容部がその下部に設けられている。第１ボトル２０ａから第１吹出口１２ａまでの吹出経路を含めた構造と第２ボトル２０ｂから第２吹出口１２ｂまでの吹出経路を含めた構造とは同等であるため、以下の説明においては基本的に、第１ボトル２０ａを例に挙げて説明する。尚、以下の説明においては第１ボトル２０ａと第２ボトル２０ｂとをまとめてボトル２０（香料容器）と呼ぶことがある。
【００１３】
このように配置されたボトル２０内に収容されている香料成分を、ボトル２０に隣接するように設けられた揮散機構３０によって吹出口１２から放出させることによって、アロマディフューザー１が設置される揮散空間内に香料成分を揮散させる。なお、吹出口１２は、図２においては、開口が形成されているだけであるが、吹出方向を自在に変更できるノズルを設け、ユーザーが所望の方向に制御可能なように構成しても良い。
【００１４】
図２に示すように、筐体１０の貫通した空間よりも低い位置に、制御基板５０が配置されており、制御基板５０には電源コネクタ５１が設けられている。電源コネクタ５１は筐体１０に設けられた電源投入口１６からＡＣアダプターを接続し、制御基板５０に電源を供給することが可能になる。このように電源投入口１６を筐体１０の貫通した空間よりも低い位置に設けることで、ＡＣアダプターのケーブルが引っ張られて筐体１０が転倒することを防ぐことができる。さらに、電源コネクタ５１を制御基板５０に配置したことにより、電源コネクタ専用基板と束線を廃止することが出来る。
【００１５】
制御基板５０の下部には内蔵電池６０が配置されている。制御基板５０と内蔵電池６０を近傍に配置することで、中継束線を使用することなく安価な内蔵電池を使用することが可能になる。さらに、重さがある内蔵電池６０を筐体１０の下部に配置することで、製品姿勢を安定化することが出来る。なお、図２においては内蔵電池６０が制御基板５０の下部に配置されているが、制御基板５０の上部や、隣り合って配置する構成にしても良い。また、内蔵電池６０はリチウムイオン電池やニッケル水素電池、乾電池など様々であり、特に限定されない。
【００１６】
本件の特徴の１つは、筐体１０の中央に設けた空間（貫通孔１００）の左右に一対のボトル２０を配置し、その間の中央上部に横倒しに配置したコンプレッサ３１によってボトル２０に収容されている香料成分を揮散させることが出来、コンプレッサ３１を内包する外装部分を持ち手とすることで、重量物である揮散機構３０を握ることによって重量バランスを良くし、アロマディフューザー１を持ちやすくすることが出来る事にある。
【００１７】
図３は本発明のアロマディフューザー１の芳香制御の動作を説明する概念図である。ボトル２０の上部には、その内部に吹出経路を形成するボトルキャップ４０が設けられている。ボトルキャップ４０は、第１ボトル２０ａから第１吹出口１２ａを連通する第１吹出経路４１ａと、第２ボトル２０ｂから第２吹出口１２ｂを連通する第２吹出経路４１ｂとがそれぞれ別体に設けられている。
【００１８】
第１ボトルキャップ４０ａは、第１ボトル２０ａと嵌合する構造を有し、第１ボトル２０ａと第１吹出経路４１ａとを連通する第１ボトルキャップ入口４２ａを有しており、揮散機構３０（第１揮散機構３０ａ）を駆動することによって第１ボトル２０ａから放出された香料成分が、第１ボトルキャップ４０ａ内の第１吹出経路４１ａを通流して第１ボトルキャップ出口４３ａに到達し、筐体１０に設けられた第１吹出口１２ａから揮散空間（外気）に向けて揮散させられる。
【００１９】
同様に、第２ボトルキャップ４０ｂは、第２ボトル２０ｂと嵌合する構造を有し、第２ボトル２０ｂと第２吹出経路４１ｂとを連通する第２ボトルキャップ入口４２ｂを有しており、図３に示す揮散機構３０（第２揮散機構３０ｂ）を駆動することによって第２ボトル２０ｂから放出された香料成分が、第２ボトルキャップ４０ｂ内の第１吹出経路４１ｂを通流して第２ボトルキャップ出口４３ｂに到達し、筐体１０に設けられた第２吹出口１２ｂから揮散空間（外気）に向けて揮散させられる。
【００２０】
ここで、揮散機構３０について詳細に説明する。揮散機構３０は、上述したように、ボトル２０に収容された香料成分を、ボトルキャップ４０内の吹出経路４１に通流させて、吹出口１２から揮散空間に向けて揮散させるものであり、第１吹出経路４１ａに対応する第１揮散機構３０ａと、第２吹出経路４１ｂに対応する第２揮散機構３０ｂとを有する。
【００２１】
揮散機構３０の一例として、本実施形態においては、ダイアフラムポンプを内蔵したコンプレッサ３１と、コンプレッサ３１とボトルキャップ４０とを接続する接続管３３とによって構成されており、第１揮散機構３０ａと第２揮散機構３０ｂとに対応してそれぞれ複数設けられている。
【００２２】
なお、本実施形態においては、ボトルキャップ入口４２よりも、コンプレッサ３１から接続管３３ａに空気が吐き出される吐出部３２ａの位置が高くなるように接続管３３ａを複数回つづら折り状に引き回している。換言すれば、コンプレッサ３１からボトルキャップ４０までの間に、接続管３３ａを筐体１０の下方に向けて屈曲させて引き回している。この構成によれば、ボトルキャップ４０内で凝縮した香料成分の液体や、ボトルキャップ出口４３から不意に流入した液体などが、筐体１０を移動する際などにコンプレッサ３１内部に逆流してしまうことを防ぐことができる。
【００２３】
図３に示すように、コンプレッサ３１によって発生した空気の流れが、ボトルキャップ４０に流入し、その空気の流れがエジェクタとして機能することによって、ボトル２０から香料成分が吹出経路４１に流入する。香料成分は、霧状に吹出経路４１に流入するが、そのうち粒子径の大きいものについては、ボトルキャップ４０の外壁に衝突してそのまま落下することで逆流路４４に流入してボトル２０内に戻る。吹出経路４１内を通流する香料成分は、コンプレッサ３１によって発生した空気と共にボトルキャップ４０内で迂回するように形成された吹出経路４１に沿って下流側に通流し、ボトルキャップ出口４３に到達する。その後、図１に示す吹出口１２から揮散空間に向けて放出される。
【００２４】
以上説明したように、香料成分の揮散量は、コンプレッサ３１によって発生する空気量に比例する。換言すれば、香料成分の揮散量を、コンプレッサ３１の駆動条件（駆動電流、駆動時間）を制御することによって調整可能である。なお、以上説明したアロマディフューザー１は、ボトル２０を２つ取り付け可能に構成したが、３つ以上のボトル２０を取り付け可能に構成することもできる。これにより、特定の効果を発揮するための香料成分の組み合わせの実現が容易となる。
【００２５】
図４は本発明のアロマディフューザー１のトップカバー１１が開いた状態を示す斜視図である。トップカバー１１を開くと筐体１０の中央を貫通した空間を挟んで左右に第１ボトルキャップ４０ａと第２ボトルキャップ４０ｂが配置されており、ユーザーはそれぞれのボトルキャップ４０を上部に引き出すことでボトル２０を上方に取り外すことが出来る。なお、図４ではボトルキャップ４０を上部に外す様になっているが、側部に外す構成にしても良い。
【００２６】
筐体１０にはインナーカバー１７が固定ねじ７０で固定されており、インナーカバー１７には凹部１８が設けられている。ユーザーは凹部１８に指を入れる事で、ボトルキャップ４０を上部に簡易に外すことが出来る。また、固定ねじ７０による外観的なデザインの質の低下が懸念される場合は、トップカバー１１を開けた際、固定ネジ７０を直接的に視認させないような構成とする事もできる。例えば、固定ネジ７０が配置された面上にプレートを置いても良いし、シート等を貼り付けても良い。さらには、固定ネジ７０が配置された面上に、駆動条件などを入力したり、表示したりするディスプレイや操作板を配置する事も可能である。
【００２７】
トップカバー１１には第１押さえ板１３ａと第２押さえ板１３ｂが、それぞれ第１吹出口１２ａと第２吹出口１２ｂの近傍に設けられている。トップカバー１１を閉めた時、第１押さえ板１３ａと第２押さえ板１３ｂは、それぞれ第１ボトルキャップ４０ａと、第２ボトルキャップ４０ｂの天面に突き当てられ、ボトルキャップ４０が浮いた状態で配置されることを防ぐことが出来る。
【００２８】
また、トップカバー１１には第１固定部１４ａと第２固定部１４ｂが設けられ、トップカバー１１を閉めた時、インナーカバー１７に嵌合してトップカバー１１を固定することが出来る。
【００２９】
図５は本発明のアロマディフューザー１のインナーカバー１７を取り外した状態を示した上面図である。ダイアフラムポンプを内蔵した第１コンプレッサ３１ａと第２コンプレッサ３１ｂは隣り合って配置されている。また、接続管３３はシリコーンゴムやＰＶＣ（ポリ塩化ビニル）などの樹脂材料によってチューブ状に形成されており、本実施形態においては、図５に示している通り、第１コンプレッサ吐出部３２ａと第２コンプレッサ吐出部３２ｂは逆方向を向いており、それぞれ接続管３３ａと接続管３３ｂに接続されている。
【００３０】
図５において第１コンプレッサ３１ａは筐体１０の中心より右側に配置されている。そうすることで、制御基板５０の第１コンプレッサ束線コネクタ５３ａと接続する第１コンプレッサ束線５２ａの長さを短くすることが出来、第１コンプレッサ３１ａの左側にスペースを確保することが出来る為、接続管３３を配線し易くなる。同様に第２コンプレッサ３１ｂは筐体１０の中心より左側に配置されている。そうすることで、制御基板５０の第２コンプレッサ束線コネクタ５３ｂと接続する第２コンプレッサ束線５２ｂの長さを短くすることが出来、第２コンプレッサ３１ｂの右側にスペースを確保することが出来る為、接続管３３を配線し易くなる。
【００３１】
このように接続管３３ａと接続管３３ｂを逆方向に配置することによって、強度を考慮して剛性の比較的高い材質で接続管３３を形成する場合であっても、引き回すスペースを確保することができる。より具体的には、第１コンプレッサ３１ａと第１吹出経路４１ａおよび第１ボトル２０ａの組と、第２コンプレッサ３１ｂと第１２吹出経路４１ｂおよび第２ボトル２０ｂの組とを、筐体１０における左右方向及び前後方向の中心に対して点対称に配置している。このように構成することで、コンプレッサ３１から制御基板５０までの配線などの収容スペースを好適に確保することができ、また、吹出経路４１などを筐体１０に対し左右対称に設けることが可能となり、２つのボトル２０に対して揮散性能を均一にすることも可能となる。
【００３２】
図６は本発明のアロマディフューザー１の制御基板５０の状態を示す断面図である。図６（ａ）に示す正面図におけるＢ−Ｂ断面を図６（ｂ）の断面図に示している。制御基板５０には第１コンプレッサ束線コネクタ５３ａが配置されており、接続ケーブルとしての第１コンプレッサ束線５２ａにて第１コンプレッサ３１ａと接続される。第１コンプレッサ束線コネクタ５３ａは第１コンプレッサ束線５２ａが最短となる様な位置に配置される。同様に、制御基板５０には第２コンプレッサ束線コネクタ５３ｂが配置されており、接続ケーブルとしての第２コンプレッサ束線５２ｂにて第２コンプレッサ３１ｂと接続される。第２コンプレッサ束線コネクタ５３ｂは第２コンプレッサ束線５２ｂが最短となる様な位置に配置される。
【００３３】
本実施形態においては、第１コンプレッサ束線５２ａは、図６に点線で示す空間Ｓを引き回している。空間Ｓは、第１ボトル２０ａと、筐体１０に設けられた貫通孔１００との間に対応する空間である。特に、本実施形態のように、円筒形状のボトル２０を用いた場合に、円形であるボトル２０の外周部とその周囲の間隙とを利用してコンプレッサ束線５２を引き回すことが可能となる。
【００３４】
また、詳しくは後述するように、制御基板５０には、導光部材１９における導光部材光源部９２を照射して導光部材１９内に光を導光させる光源であるＬＥＤ９８が実装されている。
【００３５】
図７は本発明のアロマディフューザー１の制御構成を示すブロック図である。図７に示すように、ＣＰＵ（Ｃｅｎｔｒａｌ  Ｐｒｏｃｅｓｓｉｎｇ  Ｕｎｉｔ）８０、コンプレッサ３１、記憶部８１、通信ＩＦ（ＩｎｔｅｒＦａｃｅ）８２、操作部８３、表示部８４、電源部８５などを備えている。
【００３６】
ＣＰＵ８０は、アロマディフューザー１の各部全体を統括して制御を行う制御部である。なお、図７においては各構成がＣＰＵ８０とのみ接続されているが、バスを通じてそれぞれが接続されて直接信号のやり取りを行うように構成しても良い。
【００３７】
記憶部８１は、ＲＯＭやＲＡＭなどの記憶デバイスによって構成されており、ＣＰＵ８０が各部を制御するために必要な各種プログラムや制御処理に必要なデータ等が記憶されている。例えば、コンプレッサ３１の駆動制御のために必要なデータ以外にも、後述する通信ＩＦ８２や表示部８４を制御するために必要なデータ等も記憶されており、ＣＰＵ８０はこれらのデータを利用して通信ＩＦ８２や表示部８４を制御する。
【００３８】
通信ＩＦ８２は、外部機器との間で通信を行うためのインターフェースであり、各無線通信規格に対応した無線モジュールや、有線接続するためのＬＡＮコネクタやＵＳＢコネクタなどである。
【００３９】
表示部８４は、アロマディフューザー１の動作状態などをユーザーに通知すべく、筐体１０に設けられたＬＣＤなどのディスプレイやＬＥＤなどのインジケータである。アロマディフューザー１の動作モード（コンプレッサ３１の動作状態）に応じた表示態様になるようにＣＰＵ８０が表示部８４を制御することによってユーザーがアロマディフューザー１の動作モードを把握しやすくなる。また、動作モード以外にも、電源のオン、オフ状態や、通信ＩＦ８２での通信状態を表示しても良い。
【００４０】
操作部８３は、ユーザーがＣＰＵ８０に対してアロマディフューザー１の動作モードの制御指示などを入力するためのインターフェースであり、一例としては、筐体１０の外表面に配置されたタクトスイッチなどである。また、ＬＣＤなどのディスプレイや機能を示したデザインなどの上に貼り付けたタッチパネルによって構成しても良い。
【００４１】
電源部８５は、電池やＡＣアダプターによって構成される電源に接続される電源回路であり、各部に対して必要な電力を生成して供給するものである。そのため、図７においては、電源部８５はＣＰＵ８０にのみ接続されているが、実際には各部に対して接続されており、各部の駆動に必要な電力を供給している。ＣＰＵ８０によってそれらの電力供給の制御を行うように構成しても良い。また、電池としては本体に内蔵される内蔵電池などでも良いし、ＵＳＢケーブルなどによって接続されるモバイルバッテリのような外部電池でも良い。なお、電池を内蔵するように構成する場合には、その充電のための機構は特に限定されない。たとえばＵＳＢケーブルなどによって供給された電流によって充電されるようにしても良いし、無線給電などによって充電可能な充電回路を有しても良い。
【００４２】
次に、図面を用いて本実施形態に係るアロマディフューザー１の導光部材１９について説明する。導光部材１９は、図８に示すように概略四角形状の導光部材Ａ部９０（図８（ｂ）において色の濃い部分）と下方の制御基板５０に向けて湾曲して延びる導光部材Ｂ部９１（図８（ｃ）において色の濃い部分）とを有している。導光部材１９はアクリルやポリカーボネートなどの樹脂材やガラス材などの透明部材で形成される。導光部材１９は光源から出射される光を導光部材１９全体に導光させる必要があり、接着などで部材同士を接合させると、例え屈折率を調整した接着剤などを使ったとしても、光のロスを増大させてしまう可能性がある為、少なくとも導光部材１９において光を導光する導光部に関しては接合面がなく、貫通孔１００の周方向に沿って一体的に形成される事が望ましく、例えば一体成型されていても良い。
【００４３】
なお、ディフューザー１の貫通孔１００に露出している導光部材１９の面は、透明であると説明したが、導光部材１９の内部は透明であり、その表層部分が半透明のものなども含まれる。すなわち、ユーザーに光をより均一に視認させる為に、表層部分は純粋な透明ではなく、物理的に光を拡散させるようなシボ形状であっても良いし、化学的な手法で表層を粗面化しても良い。
【００４４】
さらに、図２、及び図８で示したように、本実施形態における導光部材１９は、光源の位置などを考慮し、上側に２つ、下側に１つ、導光部材固定用突起部９７を備えた構造となっており、これを筐体側に引掛ける事で固定している。ここで、導光部材固定用突起部９７は３つに限らず、増減させても良く、導光部材１９の形状や大きさなどに応じて適宜設定する事ができるが、導光させている光が導光部材固定用突起部９７から出射してしまい、光がロスする事がないように注意する必要があり、例えば光を導光する方向と直交する方向に突出させて形成することなどが可能である。
【００４５】
本実施形態では、寝室などの暗所でも持ち運び易いように、把持部の視認性を向上させる目的で、導光部材１９を移動時に手で把持する事を想定した貫通孔１００の全周を沿うような形状としたが、これに限る事はなく、貫通孔１００全周の一部のみに配置されたような形状であっても良い。
【００４６】
また、前述のように、手で掴む事を想定している事から、手で持った時の違和感や痛みを低減させる為、導光部材１９が貫通孔１００の内面から中心側に突き出して露出する凸量は小さいことが望ましい。このような構造とする事で、手で持ち上げた時に導光部材１９が破壊されてしまう可能性も低減できる。特には、筐体１０の上側に設けられる部分の導光部材１９の凸量が小さいことが望ましい。
【００４７】
導光部材１９の断面形状は円形、楕円形、四角形や六角形などの多角形状であっても良い。但し、特に多角形状の場合は、前述のように、手で持った場合にも手や指に痛みを生じさせる事がないように、多角形の角となる部分が手などに当たらないような形状配置にしたり、突起量を抑えたりして配置させる事が望ましい。
【００４８】
特には、少なくとも貫通孔１００に露出している第１の部分は、円形または楕円形とする事が望ましく、筐体内部に配置される第２の部分の形状を多角形としても良い。本実施形態では、光の均一性と、ディフューザー１を手で持った際に導光部材１９が手や指に触れた場合であっても、出来るだけ痛みを生じさせる事がないことを両立させるように、導光部材１９における貫通孔１００内への露出部の断面形状を楕円形とし、筐体内部に位置する部分の断面形状は固定時の強度を考慮して四角形状とした。
【００４９】
本実施形態においては、導光部材１９の断面が貫通孔１００内に半分以上露出する突出量となるように、導光部材１９の断面形状および配置が設定されている。また、本実施形態では導光部材１９の断面形状と、貫通孔１００への突出量が全体的に略均一となるように構成されているが、把持部と想定している貫通孔１００の上面（筐体１０に対する上側）に露出する導光部材１９のみ、貫通孔１００の上面以外に露出する導光部材１９よりも突出量が少なくなるように構成されていても良い。
【００５０】
本実施形態では、導光部材１９を導光される光の光源として、ＬＥＤ９８を図６に示すように装置本体内部の下側に配置された制御基板５０上に実装した。このような光源には、異なる発光色を有するＬＥＤなどを複数個配置させても良いし、同じ色の光源を異なる場所に複数配置しても良いが、本実施形態では、光源の配置エリアを２つに分割し、さらに各々の配置エリアに青色とオレンジ色など、異なる色を有する２つのＬＥＤを配置した。
【００５１】
このように、複数のエリアにＬＥＤ９８を配置させる事で、導光部材１９による発光の均一性を向上させる事ができる。また、各々のエリアに異なる色の複数の光源を配置する事で、例えば青色、オレンジ色、青色とオレンジ色を足し合わせた色など、発光色パターンを増やす事ができ、これらを制御時の各モードと連動させて表現させる事もできる。
【００５２】
また、本実施形態では、アロマディフューザー１の前後方向（貫通孔１００が延びる方向）における中央付近に配置された導光部材１９を導光する光の均一性を向上させる為に、導光部材１９に対して、左右対称の位置関係となる２つの場所にＬＥＤ９８を配置し、後述する方法で２つのＬＥＤ９８によって光を照射する。
【００５３】
さらに、図８（ｄ）で示したように、導光部材１９を導光する光がＬＥＤ９８から入射する２つの導光部材光源部９２が導光部材１９の左右にそれぞれ設けられており、それぞれ第１導光部材光源部９４と第２導光部材光源部９５とで構成されている。そして、図９に示すように、第１導光部材光源部９４から導光させた光と、第２導光部材光源部９５から導光させた光とは、貫通空間の底面にあたる導光部材１９内の導光部材Ａ部共通部９６を交差するように導光される。
【００５４】
つまりは、図９（ａ）に記載した矢印で示したように、第１導光部材光源部９４に対向して配置された光源から出射した光は、導光部材Ｂ部９１を介して導光部材Ａ部共通部９６を通過し、導光部材Ａ部９０内を図９（ａ）における紙面に向かって左回りに１週する。
【００５５】
同様に、図９（ｂ）に記載した矢印で示したように、第２導光部材光源部９５に対向して配置された光源から出射した光は、導光部材Ｂ部９１を介して導光部材Ａ部共通部９６を通過し、導光部材Ａ部９０内を図９（ｂ）における紙面に向かって右回りに１週する。
【００５６】
従って、導光部材１９において装置本体の底面側に位置する底面部分である導光部材Ａ部共通部９６は、第１の光源と第２の光源から出射された直後の２つの光が交差して重なる為、導光部材Ａ部９０の中でも特に光強度が高まる。ディフューザー１を持ち運ぶ事を想定した場合、ディフューザー１よりも高い位置にユーザーの視点がある事が殆どであり、特に暗所では、導光部材Ａ部共通部９６が明るい事で効率良く視認性を向上させる事ができる。
【００５７】
発光強度の観点からは光源と導光部材１９との距離は可能な限り近付けた方が良い。さらには、振動等によって導光部材１９と各光源の位置関係が初期の状態から大幅に動く事がないように構成する事が望ましい。
【００５８】
以上のことから、本実施形態における図８（ｄ）に示した導光部材光源部９２のように、導光部材１９の光源側の先端部を光源の全体を覆うような形状としても良い。この場合、導光部材光源部９２に関しては、導光に寄与しない周辺を囲んでいるような部分であれば、必ずしも前述したような一体的な構造とする必要は無く、所定の形状を貼り合せて形成しても良い。
【００５９】
図８に示したように、導光部材１９は光を導光させて光を照らす役割を有する導光部材Ａ部９０と、光源から導光部材Ａ部９０に光を届ける導光部材Ｂ部９１、導光部材光源部９２などから構成される。
【００６０】
本実施形態では、図８（ａ）、（ｂ）で示すように、導光部材Ａ部９０については貫通孔１００全周に沿うような概略四角形状であり、導光部材Ｂ部９１は光源からＲ形状を有して導光部材Ａ部９０に連続的に繋がる形状とした。
【００６１】
導光部材Ｂ部９１の形状に関しては、図８に示した形状に限らず、光源の光を効率良く、均一に導光させるのに適した形状であれば良い。例えば、導光部材Ａ部９０と導光部材Ｂ部９１とが延在する方向が垂直に交わっていると、導光部材Ａ部９０との交点にあたる導光部材Ｂ部９１の先端の部分から光源の光の多くが放出されてしまい、導光部材Ａ部内に運ばれる光量が減少してしまう。従って、このような形状は好ましくなく、導光部材Ａ部９０に対し導光部材Ｂ部９１が緩やかなカーブ（Ｒ形状）で繋がるような形状となっている事が好ましい。
【００６２】
また、導光部材Ａ部９０においても、導光部材角部９３のＲ形状が小さいと、ここでも光のロスが大きくなってしまう為、このような形状の場合は導光部材角部９３のＲ値を大きくする事が望ましい。また、導光部材角部９３を含む導光部材Ａ部９０の外周側などから装置内部面に漏れ出る光が多い場合は、導光部材Ａ部９０の装置内部面側に光を反射させるような反射板や、金属膜などによる反射コートを施す事で、光のロスを低減させる事ができる。
【００６３】
本実施形態においては、以上のような導光部材１９をアロマディフューザー１の貫通孔１００に設ける事によって、就寝時の寝室などの暗所でアロマディフューザー１を使用した場合でも装置の全体を照らす事が出来、ユーザーが装置の設置場所や装置全体の形状を視認する事が容易となる。
【００６４】
（第２実施形態）
図１０は、本発明の第２の実施形態に係るアロマディフューザーの外観斜視図を示している。基本的な構成は図１で示した第１実施形態と同様であるため説明を省略し、その相違点について説明する。
【００６５】
図１１に本発明の第２実施形態に係るアロマディフューザー１の複数の断面図を示す。図１１（ａ）に示す上面図におけるＣ−Ｃ断面を図１１（ｃ）に、図１１（ｂ）に示す正面図におけるＤ−Ｄ断面を図１１（ｄ）に示している。筐体１０の中央に空間（貫通孔１００）を設け、空間に対して左右に一対のボトル２０を配置し、空間の上部に横倒しに且つ上下方向に並べて一対のコンプレッサ３１を配置する。上下に並べられたコンプレッサ３１部分を持ち手とすることにより重量物がより集中しバランスよく持ち運びが出来、また持ち手の幅が狭くなり手の小さな人でも持ちやすい。なお、コンプレッサ３１を収容する筐体１０の上部は、本実施形態においては断面が概略矩形であるが、楕円形などにしても良い。
【００６６】
また、この実施形態においては、コンプレッサ３１ａを上方に、コンプレッサ３１ｂを下方に配置しているが、それぞれの接続管３３ａ、３３ｂが、第１吹出経路４１ａ、第２吹出経路４１ｂに流入する第１ボトルキャップ入口４２ａ、第２ボトルキャップ入口４２ａの、筐体１０における高さを一致するように接続管３３ａ、３３ｂを引き回している。この構成によって、左右のボトルキャップ４０の形状を共通にすることができ、また、コンプレッサ３１から流入する空気が吹出経路４１に流入し、ボトルキャップ出口４３から流出する経路を一致させて揮散性能を均一にすることができる。
【００６７】
以上説明した各実施形態に係る構成にすることによって、暗所での使用にも適し、ポータブル性と視認性を向上させる事ができる。
【００６８】
なお、コンプレッサ３１を収容する筐体１０の上部は、上記実施形態においては断面が概略矩形であるが、楕円形などにしても良い。
【００６９】
また、上記実施形態においては、トップカバー１１を開くヒンジ１５を筐体１０の背面に設け、トップカバー１１を開くと、トップカバー１１が筐体１０の背面側に突出するように展開される例について説明したが、これに限られない。例えば、ヒンジ１５を筐体１０の背面よりも前面側に配置し、トップカバー１１を開いた際に筐体１０の背面からトップカバー１１が突出しないように構成することができる。
【００７０】
この場合特に、ヒンジ１５を設ける位置として、図５に示す上面図におけるコンプレッサ３１ａおよび接続管３３の側部において、第１ボトルキャップ４０ａおよび第２ボトルキャップ４０ｂの背面側のスペースにヒンジ１５を設けるようにすると、ヒンジ１５を設けるスペースを別途確保することなく、省スペースにヒンジ１５を配置することができる。
【００７１】
更に、ヒンジ１５を設けるスペースを確保すべく、ボトル２０やボトルキャップ４０を筐体１０における前面側に配置しても良い。
【００７２】
本実施形態においても、第１実施形態同様に、貫通孔１００の周壁に沿って導光部材を配置することで、製品の視認性を向上させることができる。
【００７３】
なお、上記実施形態においては、貫通孔１００にユーザーが手を挿入し、揮散機構３０が配置された筐体１０上部を把持することでアロマディフューザー１の可搬性を向上する例について説明したが、貫通孔１００を設けずに、筐体１０上部に揮散機構３０が配置された把持部を形成しても良く、この場合であっても、把持部内に揮散機構３０が配置されることで、持ち易さを向上することができ、さらには、把持部の周りに沿って導光部材を配置することで、上記実施形態と同様に視認性を向上させる事ができる。
【００７４】
なお、上記実施形態においては香料噴霧装置を例に挙げて説明したが、香料以外にも特定の作用を有する液体等が放出される装置に適用可能である。例えば、除菌や殺菌作用のある液体を超音波などの手段によって装置外部に放出する装置や、水を気化して放出する加湿器などの装置にも適用可能である。
【００７５】
また、上記実施形態においては、ユーザーが手を挿入可能な程度の大きさの貫通孔１００に対して導光部材１９を１つ設けた例について説明したが、上述したように、ユーザーが指を挿入可能な程度の貫通孔を複数設けた場合には、それぞれの貫通孔の内周面に対応するように導光部材を設けても良い。その場合、複数の貫通孔に対応する導光部材は、一体に形成されても良いし、分割して複数設けられていても良い。
【００７６】
本発明は、以上説明した形態に限られず、本発明の技術思想を逸脱しない範囲において種々の変更を適用することができる。
【符号の説明】
【００７７】
１  アロマディフューザー
１０  筐体
１１  トップカバー
１２ａ  第１吹出口
１２ｂ  第２吹出口
１３ａ  第１押さえ板
１３ｂ  第２押さえ板
１４ａ  第１固定部
１４ｂ  第２固定部
１５  回転軸
１６  電源投入口
１７  インナーカバー
１８  凹部
１９  導光部材
２０ａ  第１ボトル
２０ｂ  第２ボトル
３０  揮散機構
３１ａ  第１コンプレッサ
３１ｂ  第２コンプレッサ
３２ａ  第１コンプレッサ吐出部
３２ｂ  第２コンプレッサ吐出部
３３  接続管
４０ａ  第１ボトルキャップ
４０ｂ  第２ボトルキャップ
４１ａ  第１吹出経路
４１ｂ  第２吹出経路
４２ａ  第１ボトルキャップ入口
４２ｂ  第２ボトルキャップ入口
４３ａ  第１ボトルキャップ出口
４３ｂ  第２ボトルキャップ出口
４４  逆流経路
５０  制御基板
５１  電源コネクタ
５２ａ  第１コンプレッサ束線
５２ｂ  第２コンプレッサ束線
５３ａ  第１コンプレッサ束線コネクタ
５３ｂ  第２コンプレッサ束線コネクタ
６０  内蔵電池
７０  固定ねじ
８０  ＣＰＵ
８１  記憶部
８２  通信ＩＦ
８３  操作部
８４  表示部
８５  電源部
９０  導光部材 Ａ部
９１  導光部材 Ｂ部
９２  導光部材光源部
９３  導光部材Ａ部  角部
９４  第１導光部材光源部
９５  第２導光部材光源部
９６  導光部材Ａ部共通部
９７  導光部材固定用突起部
９８  ＬＥＤ
１００  貫通孔
【図１】
2020141967.tif 000003
【図２】
2020141967.tif 000004
【図３】
2020141967.tif 000005
【図４】
2020141967.tif 000006
【図５】
2020141967.tif 000007
【図６】
2020141967.tif 000008
【図７】
2020141967.tif 000009
【図８】
2020141967.tif 000010
【図９】
2020141967.tif 000011
【図１０】
2020141967.tif 000012
【図１１】
2020141967.tif 000013